(57)【要約】【課題】本発明の課題は、コールド商品とホット商品との売上比率を容易に確認可能とする自動販売を提供することにある。【解決手段】コールド商品とホット商品のいずれも販売可能とし、その販売した商品の販売本数を記憶する自動販売機において、前記販売本数に基づいてコールド商品とホット商品との売上比率を算出する算出手段と、該算出手段により算出したコールド商品とホット商品との売上比率を表示する表示手段とを備えたことを特徴とする。【選択図】図１
2008070932.tif 000002
【特許請求の範囲】
【請求項１】
コールド商品とホット商品のいずれも販売可能とし、その販売した商品の販売本数を記憶する自動販売機において、前記販売本数に基づいてコールド商品とホット商品との売上比率を算出する算出手段と、該算出手段により算出したコールド商品とホット商品との売上比率を表示する表示手段とを備えたことを特徴とする自動販売機。
【請求項２】
請求項１記載の自動販売機において、表示モードに切り替えると、表示手段に総販売本数を表示することを特徴とする自動販売機。
【請求項３】
請求項２記載の自動販売機において、前記総販売本数表示後、コールド商品の売上比率、ホット商品の売上比率を表示することを特徴とする自動販売機。
【請求項４】
請求項３記載の自動販売機において、前記表示は操作キーが操作される毎に切り替わることを特徴とする自動販売機。
【請求項５】
請求項１ないし４のいずれかに記載の自動販売機において、クリアキーを備え、クリアキーを連続押しすると、販売本数、売上比率をクリアすることを特徴とする自動販売機。
【発明の詳細な説明】
【技術分野】
【０００１】
本発明は、コールド商品とホット商品とを販売し、このコールド商品とホット商品の売上げを管理できる自動販売機に関する。
【背景技術】
【０００２】
従来、自動販売機の売上げ管理として、例えば、集計グループを設定しておき、そのグループにて売上数を確認できるようにした構成が知られている（特許文献１参照）。
また、このグループ分けとして、コールド商品とホット商品の販売本数を集計できるようにした構成が知られている（特許文献２参照）
【特許文献１】特開昭６２−６００９２号公報
【特許文献２】特開平２−１２４００３号公報
【発明の開示】
【発明が解決しようとする課題】
【０００３】
ところで、上記自動販売機においては、コールド商品とホット商品とのそれぞれの販売本数は把握できるが、このように販売本数で管理していると、総販売本数に占めるコールド商品とホット商品との割合がわかり難いとの意見があり、例えば、季節の変わり目などでコールド商品とホット商品との商品構成を変えたいときにひと目で理解できる参考データなどが要望されていた。
そこで、本発明は、上記課題に鑑みて、コールド商品とホット商品との売上比率を容易に確認可能にできる自動販売を提供することを目的とする。
【課題を解決するための手段】
【０００４】
上記課題を解決するために、本発明では、コールド商品とホット商品のいずれも販売可能とし、その販売した商品の販売本数を記憶する自動販売機において、前記販売本数に基づいてコールド商品とホット商品との売上比率を算出する算出手段と、該算出手段により算出したコールド商品とホット商品との売上比率を表示する表示手段とを備えたことを特徴とする。
表示モードに切り替えると、表示手段に総販売本数を表示することを特徴とする。
前記総販売本数表示後、コールド商品の売上比率、ホット商品の売上比率を表示することを特徴とする。
前記表示は操作キーが操作される毎に切り替わることを特徴とする。
さらに、クリアキーを備え、クリアキーを連続押しすると、販売本数、売上比率をクリアすることを特徴とする。
【発明の効果】
【０００５】
本発明は、総販売本数に対するコールド商品とホット商品との売上比率を表示できるようにすることで、総販売本数に対するそれぞれの商品の占める割合がすぐに理解できるようになるため、季節の変わり目などに収納商品の構成を考えるうえで有効となるという効果が得られる。
【発明を実施するための最良の形態】
【０００６】
以下に図１ないし図３を参照して、本発明に係る自動販売機の好適な実施の形態について詳細に説明する。
まず、図２は、本発明の対象となる自動販売機の概略構成の一例を示す正面図を示したものである。ここで例示する自動販売機は、入金が行われた場合に缶入り飲料やペットボトル入り飲料、あるいはビン入り飲料等の商品を販売するのものであり、その構成について説明する。
２は、自動販売機の本体キャビネットであり、この本体キャビネット２は、前面が開口した直方状を成すもので、図示していないが、その内部に複数（ｎ個）のコラムを備えている。コラムは、例えばサーペンタイン式のラックからなるもので、複数種類の商品を個別に収納する一方、販売指令が与えられた場合に対応する商品の払い出しを行う商品払出系として機能する。また、本体キャビネット２の内部においてコラムに収納した商品を所望の温度に維持するための冷却ユニットや加熱ユニットが設けられている。
【０００７】
外扉２０は、本体キャビネット２の前面開口を開閉する態様で、該本体キャビネット２の一側縁部に支承させたものである。この外扉２０には、その表面側に商品見本展示室２１、商品選択押ボタン２２、紙幣挿通口２３、硬貨投入口２４、返却レバー２５、金額表示器２６、硬貨返却口２７、商品取出口２８が設けられており、主要構成について簡単に説明する。
まず、商品見本展示室２１は、外扉２０の上部に構成した透明の窓であり、内部に配列した商品見本２９を外部に視認させることが可能である。
次に、商品選択押ボタン２２は、商品見本展示室２１を通じて視認される商品見本２９毎に用意してあり、各商品選択押ボタン２２には、それぞれ販売可能ランプおよび売切ランプが設けられている。
【０００８】
次に、金額表示器２６は、利用者が投入した貨幣の入金額、釣銭の金額に加え、確認データとしての総販売本数、売上比率など、商品を販売する上で必要となる各種情報を外部に表示するため表示器である。
図１は、図２に示した自動販売機に適用される制御構成の一例を示すブロック図を示す。
同図に示すように、上記自動販売機は、主制御部１を備えている。主制御部１は、制御プログラムを記憶するメモリ１ａ、販売価格、販売本数などの各種設定、販売データを記憶するメモリ１ｂを備えている。
この主制御部１には、各種設定を行うためのリモコン１２、硬貨あるいは紙幣の受入、演算を行う貨幣処理部１３、冷熱装置１４ａを制御する冷熱制御部１４、商品を搬出する搬出装置１５ａを制御する搬出制御部１５、商品選択ボタン２２、金額表示器２６などがそれぞれ接続されており、主要構成について簡単に説明する。いる。
【０００９】
メモリ１ｂは、設定データの他、当該自動販売機の総販売本数、売上金額、コラム毎の販売本数、売上金額をそれぞれ所定の記憶領域に記憶するものである。なお、このときに、コラム毎のコールド商品、ホット商品の設定は構造モードにより別途設定記憶されている。
リモコン１２は、自動販売機の各種設定を入力するための表示部１２ａ付のリモコンであり、表示部１２ａとして例えば７セグメント形式やドットマトリックス形式の液晶表示器を備えているとともに、操作入力部１２ｂとして例えば複数のキースイッチを備えている。
この操作入力部１２ｂのキースイッチとしては、各種設定モードを切り替えるためのモードキー１２ｃ、入力データを設定情報として送信するための書込みキー１２ｄ、表示部１２ａの表示情報をスクロールアップ／スクロールダウンするためのアップ・ダウンキー１２ｅ、データをクリアするためのクリアキー１２ｆ、設定入力を終了するための終了キー１２ｇを備えたキースイッチを例示している。なお、必要に応じて０〜９のテンキーを備えてもよく、また、アップ・ダウンキー１２ｅもそれぞれ単独のキースイッチとして設けてもよい。
【００１０】
このような構成の自動販売機において、通常の販売は周知のとおりであり、販売待機状態にて、硬貨投入口２４に所定金額の硬貨が投入されると、商品選択ボタン２２の販売可ランプが点灯し、商品選択ボタン２２が押されると、搬出制御部１５から押された商品選択ボタン２２に対応する搬出制御部１５を介して搬出装置１５ａに対して商品の搬出指令が出され、対応するコラムから商品が商品取出口２８へ搬出され、釣銭がある場合には硬貨返却口２７から釣銭が返却されて、商品の一販売が終了する。
このように商品が販売される毎に、メモリ１ｂの所定の記憶領域にそのコラムの販売本数として記憶、加算されるものである。
次に、本実施の形態に係る冷温売上比率確認モードについて、図３に示すフローチャート図を用いて説明する。
【００１１】
冷温売上比率確認モードとするには、リモコン１２のモードキー１２ｃを操作する（ステップ１）。
次に、書込みキー１２ｄを操作し（ステップＳ２）、アップ・ダウンキー１２ｅを操作して（ステップＳ３）、所定モードとするものである。
この時点で書込みキー１２ｄを操作すると（ステップＳ４）、まず、総販売本数の表示をリモコン１２の表示部１２ａあるいは金額表示器２６に、例えば「１２３４」と表示する（ステップＳ５）。
次に、書込みキー１２ｄを操作すると（ステップＳ６）、コールド商品の売上比率の表示をリモコン１２の表示部１２ａあるいは金額表示器２６に、例えば「４０％」と表示する（ステップＳ７）。
【００１２】
次に、書込みキー１２ｄを操作すると（ステップＳ８）、ホット商品の売上比率の表示をリモコン１２の表示部１２ａあるいは金額表示器２６に、例えば「６０％」と表示する（ステップＳ９）。
次に、クリアキー１２ｅが操作されたかを判断する（ステップＳ１０）。ここで、クリアキー１２ｅを連続押しすると（ステップＳ１０，Ｙｅｓ）、総販売本数がクリアされ、売上比率は、コールド商品、ホット商品ともにクリアする（ステップＳ１１）。
ここで、終了キー１２ｇを操作すると（ステップＳ１２）、待機状態に戻り（ステップＳ１３）、冷温売上比率確認モードを終了するものである。
このように、リモコン１２の操作入力部１２ｂを操作することにより、総販売本数の中で、コールド商品とホット商品の売上比率が確認できるものであり、小数点以下は四捨五入とする。
【００１３】
なお、この総販売本数は、上記のようにクリアされてからの総販売本数、カレンダー機能を備えておき、データの出力期間を設定し、その期間内における総販売本数、あるいは累積の総販売本数でもよく、適宜設定可能である。
この他の表示例としては、また、コラム毎の売上比率、コールド商品のラック構成、ホット商品のラック構成における売上比率など種々の表示形式が考えられる。
また、表示形式も、期間毎にグラフ化して表示してもよく、この場合には時系列的に売上比率も確認することができ、この売上比率の結果をもとに冷温のコラム構成の切り替えを報知し、ラック構成の切り替えを促すようにすることも可能である。
さらに、総販売本数および売上比率のクリアはクリアキーではなく、自動販売機の既存のスイッチでもよく、例えば、返却レバー２５の操作などが考えられる。
【００１４】
また、売上比率の算出については、表示モードに算出してもよいが、毎日算出してメモリ１ｂに予め記憶させておいてもよい。
【図面の簡単な説明】
【００１５】
【図１】本発明の実施の形態にかかる制御構成の一例を示すブロック図である。
【図２】本発明の対象となる自動販売機の概略構成の一例を示す正面図である。
【図３】本発明の実施の形態としての冷温売上比率確認モードを示すフローチャート図である。
【符号の説明】
【００１６】
１        主制御部
１ｂ      メモリ
２        本体キャビネット
１２      リモコン
１２ａ    表示部
１２ｂ    操作入力部
２６      金額表示器
【図１】
2008070932.tif 000003
【図２】
2008070932.tif 000004
【図３】
2008070932.tif 000005